(57)【特許請求の範囲】
【請求項１】
空気を殺菌するための殺菌装置であって、
空気を取り入れる空気取入口と、
前記空気取入口から取り入れた空気を殺菌する空気殺菌部と、
前記空気殺菌部で殺菌した空気を排出する空気排気口と、を備え、
前記空気殺菌部は、空気通過孔を主面に複数設けた透光板と、前記透光板の前記主面と直交する側面から当該透光板に深紫外光を照射するＵＶ光照射部と、を有し、前記空気通過孔の側面から前記空気通過孔内に深紫外線を照射して、前記空気通過孔内を通過する空気を殺菌することを特徴とする殺菌装置。
【請求項２】
前記空気殺菌部と前記空気取入口との間に、ミストを発生させるミスト発生器を設け、
前記ミスト発生器は、液体を収容する液体収容部と、当該液体収容部の中に超音波振動素子を備え、
前記空気殺菌部は、前記空気通過孔を通過する空気及び前記ミストに深紫外光を照射して殺菌することを特徴とする請求項１に記載の殺菌装置。
【請求項３】
前記液体収容部は、陶器からなることを特徴とする請求項２に記載の殺菌装置。
【請求項４】
前記液体収容部に収容する液体は、イオン化された鉱物ミネラル水であることを特徴とする請求項２又は３に記載の殺菌装置。
【請求項５】
前記鉱物ミネラル水は、銀イオンとヨウ素イオンとを含むことを特徴とする請求項４に記載の殺菌装置。
【請求項６】
前記液体収容部に収容する液体は、温泉水であることを特徴とする請求項２又は３に記載の殺菌装置。
【請求項７】
前記液体収容部に収容する液体は、２００ｎｍ以下のオゾンガスの超微細気泡を含む液体であることを特徴とする請求項２−６のいずれかに記載の殺菌装置。
【請求項８】
前記ＵＶ光照射部及び前記ミスト発生器を作動又は非作動に選択が可能なモード切換スイッチを備え、
前記モード切換スイッチにより、前記ミスト発生器を非作動とし、前記ＵＶ光照射部を作動させることを特徴とする請求項２−７のいずれかに記載の殺菌装置。
【請求項９】
前記UV光照射部が照射するUV光、又は前記ミスト発生器が発生するミストを予め記憶させたリズムで変調させる制御部を備えたことを特徴とする請求項２−８のいずれかに記載の殺菌装置。
【請求項１０】
前記制御部で変調させるリズムは、音楽又はお経であることを特徴とする請求項９に記載の殺菌装置。
【請求項１１】
前記リズムは、前記制御部で記憶するとともに、当該リズムを繰り返し発音させるリズム発音部を備えたことを特徴とする請求項９又は１０に記載の殺菌装置。
【請求項１２】
前記空気排気口は、貫通穴を設けた陶器からなることを特徴とする請求項１−１１のいずれかに記載の殺菌装置。
【請求項１３】
前記透光板は、汚れ防止用の光触媒処理を施したガラス板であることを特徴とする請求項１−１２のいずれかに記載の殺菌装置。
【請求項１４】
前記空気排気口の周辺に近接センサーを設けたことを特徴とする請求項１−１３のいずれかに記載の殺菌装置。
【発明の詳細な説明】
【技術分野】
【０００１】
本発明は、空気を殺菌する殺菌装置に関するものである。
【背景技術】
【０００２】
感染症の流行に伴い、部屋の換気などウイルスを寄せ付けない対策が求められている。
【０００３】
特許文献１には、一端側にエアーフィルターが設けられ、他端側に多孔板が設けられた筒状のカバーの内部に管状の紫外線光源と光触媒で被覆された２枚の筒状のガラスクロスを同軸に設け、空気導入側にブロアを取付けた脱臭・殺菌装置の構成が記載されている。
【先行技術文献】
【特許文献】
【０００４】
特許文献１：特開平１−１３９１３９号公報
【発明の概要】
【発明が解決しようとする課題】
【０００５】
しかしながら、特許文献１に記載のものは、光触媒で被覆された２枚の筒状のガラスクロスを同軸に設ける等、装置構成が複雑であるという問題があった。
【０００６】
本発明は、上記問題点を解決して、簡易な構成で空気の紫外線殺菌を行うとともに、効果的で使い勝手のよい殺菌装置を実現することを課題とする。
【課題を解決するための手段】
【０００７】
上記課題を解決するために本発明は、空気を殺菌するための殺菌装置であって、
空気を取り入れる空気取入口と、
前記空気取入口から取り入れた空気を殺菌する空気殺菌部と、
前記空気殺菌部で殺菌した空気を排出する空気排気口と、を備え、
前記空気殺菌部は、空気通過孔を主面に複数設けた透光板と、前記透光板の前記主面と直交する側面から当該透光板に深紫外光を照射するＵＶ光照射部と、を有し、前記空気通過孔の側面から前記空気通過孔内に深紫外線を照射して、前記空気通過孔内を通過する空気を殺菌することを特徴とする殺菌装置を提供するものである。
【０００８】
この構成により、簡易な構成で手軽に空気の紫外線殺菌を行うことができる。
【０００９】
殺菌装置であって、前記空気殺菌部と前記空気取入口との間に、ミストを発生させるミスト発生器を設け、
前記ミスト発生器は、液体を収容する液体収容部と、当該液体収容部の中に超音波振動素子を備え、
前記空気殺菌部は、前記空気通過孔を通過する空気及び前記ミストに深紫外光を照射して殺菌する構成としてもよい。
【００１０】
この構成により、空気を加湿することができるとともに、殺菌効果をもつミストが空気殺菌部と合わさって効果的な殺菌装置を実現することができる。
【００１１】
殺菌装置であって、前記液体収容部は、陶器からなる構成としてもよい。
【００１２】
この構成により、簡易に構成することができる。
【００１５】
殺菌装置であって、前記液体収容部に収容する液体は、イオン化された鉱物ミネラル水である構成としてもよい。
【００１６】
この構成により、ウイルスの細胞膜を破壊して、新型コロナ等の強力なウイルスを不活性化することができる。
【００１７】
殺菌装置であって、前記鉱物ミネラル水は、銀イオンとヨウ素イオンとを含む構成としてもよい。
【００１８】
この構成により、新型コロナ等の強力なウイルスを不活性化することができる。
【００１９】
殺菌装置であって、前記液体収容部に収容する液体は、温泉水である構成としてもよい。
【００２０】
この構成により、温泉水をミストにして噴霧することで美肌効果が得られる。
【００２１】
殺菌装置であって、前記液体収容部に収容する液体は、２００ｎｍ以下のオゾンガスの超微細気泡を含む液体である構成としてもよい。
【００２２】
この構成により、超微細気泡を含む液体でミストを発生し、空気中に噴霧することで、水の水素結合エネルギーを減少させることで、ウイルス等の分子間に入り込み、殺菌・消毒効果や脱臭効果が得られる。また、オゾンとすることで、殺菌効果だけでなく脱臭効果も得られる。
【００２３】
殺菌装置であって、前記ＵＶ光照射部及び前記ミスト発生器を作動又は非作動に選択が可能なモード切換スイッチを備え、
前記モード切換スイッチにより、前記ミスト発生器を非作動とし、前記ＵＶ光照射部を作動させる構成としてもよい。
【００２４】
この構成により、環境に則した空気の殺菌ができ、例えば、ＵＶ光による殺菌のみとすることでウイルス対策に加えて花粉症の対策とすることができる。
【００２５】
殺菌装置であって、前記ＵＶ光照射部が照射するＵＶ光、又は前記ミスト発生器が発生するミストを予め記憶させたリズムで変調させる制御部を備えた構成としてもよい。
【００２６】
この構成により、リズムのもつバイブレーションを引き出すことができる。
【００２７】
殺菌装置であって、前記制御部で変調させるリズムは、音楽又はお経である構成としてもよい。
【００２８】
この構成により、音楽又はお経のもつバイブレーションを引き出すことができる。
【００２９】
殺菌装置であって、前記リズムは、前記制御部で記憶するとともに、当該リズムを繰り返し発音させるリズム発音部を備えた構成としてもよい。
【００３０】
この構成により、耳で聴いてリラックス効果を得ることができる。
【００３１】
殺菌装置であって、前記空気排気口は、貫通穴を設けた陶器からなる構成としてもよい。
【００３２】
この構成により、簡易に構成することができる。また、陶器（特に、備前焼）やセラミックは、多孔質であるので、ミネラル水などの液体を含みやすく、空気が通過するときに、気化し、より小さなミストとして排気されるので、さらに効果が期待できる。
【００３７】
殺菌装置であって、前記透光板は、表面の汚れ防止用の光触媒処理を施したガラス板である構成としてもよい。
【００３８】
ＵＶ光の透過率を下げることなく安定して空気の殺菌をすることができる。
【００３９】
殺菌装置であって、前記空気排気口の周辺に近接センサーを設けた構成としてもよい。
【００４０】
この構成により、手やマスクをかざしたときに空気が排気されるようにすることができ、使い勝手のよい殺菌装置とすることができる。
【発明の効果】
【００４１】
本発明の殺菌装置により、簡易な構成で空気の紫外線殺菌を行うとともに、効果的で使い勝手のよい殺菌装置を実現することができる。
【図面の簡単な説明】
【００４２】
【図１】本発明の実施例１における殺菌装置の側面断面図である。
【図２】本発明の実施例１における殺菌装置の正面図である。
【図３】本発明の実施例１における空気殺菌部を説明する図である。
【図４】本発明の実施例２における殺菌装置の側面断面図である。
【図５】本発明の実施例２における殺菌装置の正面図である。
【発明を実施するための形態】
【実施例１】
【００４３】
本発明の実施例１について、図１〜図３を参照して説明する。図１は、本発明の実施例１における殺菌装置の側面断面図である。図２は、本発明の実施例１における殺菌装置の正面図である。図３は、本発明の実施例１における空気殺菌部を説明する図であり、（ａ）は正面図、（ｂ）は側面図である。
【００４４】
実施例１における殺菌装置１００は、空気を取り入れる空気取入口２と、空気取入口２から取り入れた空気を殺菌する空気殺菌部１０と、空気殺菌部１０で殺菌した空気を排出する空気排気口４と、を備えており、それらは筐体１内に収納又は取付けられている。筐体１は、合成樹脂からなり、その大きさは大凡幅８０ｍｍ（ｘ）×奥行き１００ｍｍ（ｚ）×高さ１００ｍｍ（ｙ）である。
【００４５】
空気殺菌部１０は、小径の空気通過孔１３を主面に複数貫通させ設けた透光板１１と、透光板１１の主面と直交する側面から透光板１１にＵＶ光を導光するＵＶ光照射部１２と、を有している。実施例１においては、上方（ｙ方向）から透光板１１にＵＶ光を照射して導光している。透光版１１は大凡５ｍｍ（ｘ）×５ｍｍ（ｙ）×５〜１０ｍｍ（ｚ）の大きさの四角形を有し、ガラスで構成しているが、深紫外光で劣化しないアクリルであってもよい。また、透光板を汚れ防止用の光触媒処理を施したガラス板とすることで、汚れを防止することができてＵＶ光による殺菌機能を長い期間にわたって継続することができる。
【００４６】
空気通過孔１３は約φ２〜３ｍｍで３０〜５０個有している。ＵＶ光照射部１２は、制御部４０に取付けられたＵＶ光ＬＥＤを４個備えて、それぞれ透光板１１の上側面から透光板１１の内面に向かってＵＶ光を照射する。照射するＵＶ光は、波長が２６０ｎｍ以下の深紫外光であり、空気通過口１３を通過する空気Ａに照射され、空気Ａを殺菌することができる。
【００４７】
なお、実施例１においては、ＵＶ光ＬＥＤ１２（１２ａ、１２ｂ、１２ｃ、１２ｄ）を４個備えるように構成したが、必ずしもこれに限定されず適宜変更が可能である。例えば、ＵＶ光ＬＥＤを１個備えるのみであってもよいし、５個以上（１０個程度）備えてもよい。
また、空気通過孔１３の大きさを約２〜３ｍｍとしたが、必ずしもこれに限定されず適宜変更が可能である。例えば、φ１ｍｍでもよいし、φ４ｍｍ以上であてもよい。また、円形状でなくてもよく、角形状であってもよい。また、ＵＶ光の波長は２６０ｎｍ以上であってもよい。
さらに空気通過孔１３の数は３０〜５０個でなくてもよく、２９個未満であっても５０個以上であってもよい。要するに空気通過孔１３を通過する空気Ａが効率的に殺菌できればよい。
【００４８】
また、実施例１においては、ＵＶ光ＬＥＤ１２の照射を透光板１１の上方（ｙ方向）から行う構成としたが、必ずしもこれに限定されず適宜変更が可能である。例えば、側方（ｘ方向又は−ｘ方向）や下方（―ｙ方向）から照射して透光板１１に導光する構成としてもよい。さらに、ＵＶ光ＬＥＤ１２の照射は一方向からに留まらない。二方向（例えば、上方及び側方）から照射し導光してもよいし、三方向や四方向からＵＶ光ＬＥＤ１２を照射し導光するように構成してもよい。
また、透光板１１の形状は四角でなくてもよく、多角形や円形状や三角など任意の形状を選択することができる。
四角形の形状の場合は、照射面とは反対方向の端面が鏡面や白色塗装などの反射面にする方がより効果的にＵＶ光を照射できる。
【００４９】
空気取入口２には、図示しないファンが設けられていて、ファンが回転することで、空気Ａが筐体１の外から取り込まれ、筒形状のダクト１４により取り入れられた空気Ａの多くがＵＶ光照射部１０の空気通過孔１３を通過して空気排気口４へ導かれて筐体１の外に排気される。空気取入口２の筐体１内部にはフィルタ部３が設けられていて、異物を除去できるようになっている。ダクト１４は、フィルタ部３の近傍からＵＶ光照射部１０まで設けられている。空気Ａの一部は、制御部４０における図示しない放熱フィンにも流れて、制御部４０の発熱を冷却することができる。
【００５０】
フィルタ部３には、図示しないフィルタが収納されていて、異物等を除去することができる。また、当該フィルタを水などの液体を含ませるように構成すると、取り入れた空気Ａが冷気となって、空気排気口４から排気され、涼むことができる。フィルタに液体を含ませるには、液体を収容した液体皿を用意して、フィルタの一端を浸しておけばよい。このように構成することで、フィルタ部は通過する空気を冷却することができる。
【００５１】
筐体１の底部には乾電池ケース５が設けられ、乾電池ケース５には乾電池６が収納されている。制御部４０やファン３等は、乾電池６により駆動させることで、当該殺菌装置１００が小型で軽量に構成されている。
また、筐体１には電源コネクタ７が設けられており、乾電池６を充電用電池に替えることで充電することができる。
【００５２】
殺菌装置１００の正面には、操作パネル２０が設けられている。操作パネル２０には、電源スイッチ２１とスタートスイッチ２２が設けられている。電源スイッチ２１を押すことで、殺菌装置１００の所定の箇所に電源が供給される。また、スタートスイッチ２２を押すことで、ファンが回転を始め、ＵＶ光照射部１０がＵＶ光を空気Ａに照射を始めて空気Ａの殺菌を開始する。
【００５３】
また、殺菌装置１００の正面の中央部には、前述の空気排気口４が設けられている。空気排気口４は、備前焼の陶器で構成され、空気Ａを通過させるための貫通した孔４ａが２０〜３０個程度貫通している。備前焼の陶器は、後述する音楽やお経を聞かせながら製作されているため、ある種のパワーを持っていると考えられており、これを通過する空気Ａは確実に殺菌できると思われる。
【００５４】
さらに、殺菌装置１００の正面の上部には、近接センサー８が設けられており、手やマスクを近づけると、それを検出して殺菌された空気Ａを排出するように構成することができる。この場合は、近接センサー８が何らかのものを検出すると、ファンを回転させ、ＵＶ光照射部１０がＵＶ光を空気Ａに照射を始めるように、スタートスイッチと同様の機能を持たせるようにすればよい。
【００５５】
なお、実施例１においては、筐体１を合成樹脂で構成したが、必ずしもこれに限定されず適宜変更が可能である。例えば、鉄等の金属で構成してもよいし、木材や陶器で構成してもよい。
【００５６】
また、実施例１においては、筒形状のダクト１４により取り入れられた空気Ａの多くをＵＶ光照射部１０へ導かれるように構成したが、必ずしもこれに限定されず適宜変更が可能である。例えば、ダクト１４に替えて、板を２方向や３方向に設置して空気Ａを導くように構成してもよいし、ダクト１４を設けずに、フィルタ部３と空気殺菌部１０の距離を短く構成するようにしてもよい。つまり、ダクト１４は必ずしも必要ではない。
【００５７】
さらに、実施例１においては、空気排気口４を備前焼の陶器で構成したが、必ずしもこれに限定されず適宜変更が可能である。例えば、備前焼以外の陶器で構成してもよいし、陶器以外の合成樹脂や金属で構成してもよい。
【００５８】
このように、実施例１においては、空気を殺菌するための殺菌装置であって、
空気を取り入れる空気取入口と、
前記空気取入口から取り入れた空気を殺菌する空気殺菌部と、
前記空気殺菌部で殺菌した空気を排出する空気排気口と、を備え、
前記空気殺菌部は、小径の空気通過孔を主面に複数設けた透光板と、前記透光板の前記主面と直交する側面から当該透光板にＵＶ光を導光するＵＶ光照射部と、を有したことを特徴とする殺菌装置により、簡易な構成で空気の紫外線殺菌を行うことができる。
【実施例２】
【００５９】
実施例２はＵＶ光照射部に加えてミスト発生器を備えている点で実施例１と異なっている。本発明の実施例２を図４−図５を参照して説明する。図４は、本発明の実施例２における殺菌装置の側面断面図である。図５は、本発明の実施例２における殺菌装置の正面図である。
【００６０】
実施例２における殺菌装置２００は、実施例１における殺菌装置１００と同様の筐体１の内部に前述したＵＶ光照射部１０、制御部４０、空気取入口２、フィルタ部３、乾電池ケース５、乾電池６が収納されている。そして、実施例２においては、これらに加えて、ミスト発生器３０が設けられている。
【００６１】
ミスト発生器３０について説明する。ミスト発生器３０は、空気取入口２とＵＶ光照射部１０の間に設けられており、液体収容部３１を筐体１の天面からＵＶ光照射部１０と同等の高さまで有している。液体収容部３１は、ミストＭを発生させるための液体Ｌを収容する縦長の陶器からなる容器であり、最上部に設けた液体補給口３３から液体Ｌを補給する。補給された液体Ｌは、液体収容部３１の底に収容される。液体収容部３１を陶器、特に備前焼の陶器で構成することにより、上述のようにある種のパワーを持っていると考えられており、この陶器の液体収容部３１に収容された液体Ｌから生成したミストは充分に殺菌機能が発揮される。
【００６２】
また、液体収容部３１内部の底には、超音波振動素子３２が設けられている。この超音波振動素子３２が振動することで、液体Ｌが振動しミストＭを発生させることができる。発生したミストＭは、液体収容部３１の中間部に設けた穴から空気Ａに流されてＵＶ光照射部１０へと導かれる。したがって、実施例２においては、ＵＶ光照射部１０で殺菌される空気ＡはミストＭを含んでいる。
【００６３】
なお、実施例２においては、ミスト発生器３０を空気取入口２とＵＶ光照射部１０の間に設けるように構成したが、必ずしもこれに限定されず適宜変更が可能である。例えば、ＵＶ光照射部１０と空気排気口４の間に設けるように構成してもよい。このように構成することで、ＵＶ光照射部１０で殺菌した空気ＡにミストＭを混合させることができる。また、ミストＭを発生させる液体Ｌを殺菌効果のある液体Ｌとしておけば、殺菌装置２００から排気される空気Ａは完全に殺菌されたものとすることができる。
【００６４】
また、実施例２においては、液体収容部３１内部の底に、超音波振動素子３２を設けるように構成したが、必ずしもこれに限定されず適宜変更が可能である。例えば、液体収容部３１に収容された液体Ｌの中に超音波振動素子３２を設ければよく、底でなくてもよい。
【００６５】
液体収容部３１には、水道水を収容してもよいが、殺菌機能を有する様々な液体Ｌを収容することで殺菌効果のあるミストＭを発生させることができる。実施例２においては、イオン化された鉱物ミネラル水を液体収容部３１に収容してミストＭを発生させることができる。イオン化された鉱物ミネラル水は、０．７ｎｍ以下の陽イオンを含むと特によい。イオン化された鉱物ミネラル水をミスト化して噴霧することで、空気Ａを殺菌することができる。これにより、大腸菌等の菌は数分で死滅するといわれている。
【００６６】
ミネラルとは、カルシウム、マグネシウム、マンガン、鉄、ケイ素、モリブデン、亜鉛、セレン、ヨウ素、リン、銅、クロム、カリウム、ナトリウム、バナジウム等のことをいうが、これらが不足すると人間にとって様々な病気を引き起こすリスクがあるといわれている。例えば、モリブデン不足は発がん率の増加、マグネシウム不足はうつ・不整脈の原因、クロム不足は糖尿病の原因になるリスクを含んでおり、カリウムは塩分排出を進めると言われているため、カリウムが不足すると脳梗塞や心筋梗塞のリスクが高まる。
【００６７】
鉱物由来のミネラル水には現代の人間にとって不足しているというミネラルが豊富に含まれているとともに人間にとって安全であり、飲料水として認められ、一般にも販売されている。この鉱物ミネラル水を人間が摂取すると健康増進に効果があるといわれている。また、イオン化すると人間が吸収し易くなり、０．７ｎｍ以下の陽イオンとすることで、ウイルスの細胞膜を破壊して、新型コロナ等の強力なウイルスを不活性化することができる。
【００６８】
さらに、鉱物ミネラル水に銀イオンとヨウ素イオンとを含むと健康にとって有意義である。例えば、ヨウ素は体内で甲状腺ホルモンを合成するのに必要なため、ヨウ素はヒトにとって必須元素である。また、銀は殺菌効果が期待できる。
【００６９】
実施例２における殺菌装置２００の正面における操作パネル２０には、電源スイッチ２１、スタートスイッチ２２に加えて、切換スイッチ２３が設けられている。この切換スイッチ２３は、ＵＶ光照射部１０とミスト発生器３０の動作を切り換えるために用いられる。つまり、切換スイッチ２を押すたびに、ＵＶ光照射部１０及びミスト発生器３０が作動、ＵＶ光照射部１０のみが作動、ミスト発生器３０のみが作動と作動させるものを切り換えることができる。これにより、状況に応じた適切な殺菌効果を発揮することができる。
【００７０】
なお、実施例２においては、液体収容部３１を陶器で構成したが、必ずしもこれに限定されず適宜変更が可能である。例えば、合成樹脂で構成してもよいし、金属で構成してもよい。
【００７１】
このように、実施例２においては、殺菌装置であって、ミストを発生させるミスト発生器を設けたことで、空気を加湿することができるとともに、ミスト発生用の液体を選択することで後述のように殺菌に加えて脱臭することができる。特に、イオン化された鉱物ミネラル水である構成とすることで、ウイルスの細胞膜を破壊して、新型コロナ等の強力なウイルスを不活性化することができる。
【実施例３】
【００７２】
本発明の実施例３は、液体収容部に収容する液体が温泉水である点で実施例２と異なっている。実施例３について説明する。
【００７３】
実施例３においては、液体収容部３１には液体Ｌとして温泉水が収容される。温泉水は、温泉の場所により成分が異なるが、一般的にミストにして噴霧することで美肌効果が得られるとされている。例えば、塩原温泉の温泉水は、炭酸水素イオン、メタケイ酸が豊富な美肌泉質として有名であり、下呂温泉の温泉水は無色透明のアルカリ性単純泉でほのかな香りとまろやかなお湯で「美人の湯」としても知られている。
【実施例４】
【００７４】
本発明の実施例４は、液体収容部に収容する液体が、２００ｎｍ以下のオゾンガスの超微細気泡を含む液体ある点で実施例２、３と異なっている。実施例４について説明する。
【００７５】
実施例４においては、液体収容部３１には液体Ｌとして２００ｎｍ以下のオゾンガスの超微細気泡を含む液体が収容される。このような超微細気泡を含む液体でミストを発生し、空気中に噴霧することで、ウイルス等の分子間に入り込み、殺菌・消毒効果や脱臭効果があるといわれている。
【００７６】
オゾンはフロンに次ぐ強力な酸化能力をもち、殺菌・脱臭に効果を発揮する。また、オゾンは酸素に比べると非常に不安定な化合物のため、時間が経過すると徐々に酸素へと変化していくので残留毒性がなく安全である。
【００７７】
このように、実施例４においては、液体収容部に収容する液体が、２００ｎｍ以下のオゾンガスの超微細気泡を含む液体とすることで、空気を安全に殺菌・脱臭することができる。つまり、オゾンは酸素（Ｏ２）と酸素原子（Ｏ）によって構成され、オゾン分子（Ｏ３）は、きわめて反応性の高い物質であり、時間とともに安定した酸素（Ｏ２）に戻ろうとする性質をもっており、反応後は残留物を出さない、きわめて安全な物質であるとともに、アルコールと異なり蒸発しにくいのでより長い期間に亘って殺菌効果を維持できる。
【実施例５】
【００７８】
本発明の実施例５は、ＵＶ照射部が照射するＵＶ光、又はミスト発生部が発生するミストを予め記憶させたリズムで変調させる点で実施例１−４と異なっている。実施例５について説明する。
【００７９】
実施例５の殺菌装置１００又は殺菌装置２００における制御部４０は、予めリズムを記憶する図示しない記憶部を有しており、この記憶部にリズムを記憶させておく。そして、スタートスイッチ２２が押されるか、近接センサー８が物体を検出すると、ＵＶ光照射部１０におけるＵＶ光ＬＥＤ１２が照射するＵＶ光にＰＷＭ制御による変調をかけてＵＶ光をオン・オフして空気Ａに照射し殺菌を行う。また、殺菌装置２００においては、制御部４０が超音波振動素子３２にＰＷＭ制御による変調をかけて、ミストＭにリズムで変調をかける
【００８０】
変調をかけるリズムは、音楽かお経であることが望ましい。特に、癒し効果のある音楽でＵＶ光やミストに変調をかけることで殺菌装置から排気される空気Ａにより癒しが得られる。また、お経や祈りで変調をかけると、お経や祈りのバイブレーションを掛けられるのでより癒しが得られる。
【００８１】
記憶しているリズムは、別途増幅器やスピーカを備えて、音として発音させてもよい。これにより、直接的に癒しを得ることができる。発音させるリズムは１回でもよいし、繰り返して発音させてもよい。
【産業上の利用可能性】
【００８２】
本発明における殺菌装置は、家庭での空気殺菌装置のみならず、病院の院内感染対策や公共施設での大型の空気殺菌を行う分野にも広く用いることができる。
【符号の説明】
【００８３】
１：筐体    ２：空気取入口    ３：フィルタ部    ４：空気排気口    
５：電池収納部    ６：電池    ７：電源コネクタ    ８：近接センサー    
１０：ＵＶ光照射部    １１：透光板    
１２（１２ａ、１２ｂ、１２ｃ、１２ｄ）：ＵＶ光ＬＥＤ    
１３：空気通過孔    １４:ダクト    
２０：操作パネル    ２１：電源スイッチ    ２２：スタートスイッチ    
２３：切換スイッチ    
３０：ミスト発生器    ３１：液体収容部    ３２：超音波振動素子    
３３：液体補給口    ４０：制御部    
１００：殺菌装置    ２００：殺菌装置    
Ａ：空気    Ｍ：ミスト    Ｌ：液体    
【要約】
【課題】簡易な構成で空気の紫外線殺菌を行うとともに、効果的で使い勝手のよい殺菌装置を実現することを課題とする。
【解決手段】空気を殺菌するための殺菌装置であって、
空気を取り入れる空気取入口２と、
前記空気取入口２から取り入れた空気Ａを殺菌する空気殺菌部１０と、
前記空気殺菌部１０で殺菌した空気Ａを排出する空気排気口４と、を備え、
前記空気殺菌部１０は、小径の空気通過孔１３を主面に複数設けた透光板１１と、前記透光板１１の前記主面と直交する側面から当該透光板１１にＵＶ光を導光するＵＶ光照射部１２と、を有したことを特徴とする殺菌装置１００とした。
【選択図】図１【図１】
0006863638.tif 000002
【図２】
0006863638.tif 000003
【図３】
0006863638.tif 000004
【図４】
0006863638.tif 000005
【図５】
0006863638.tif 000006